(57)【要約】【課題】鏡胴外径を細くしても不要光を遮蔽でき、高画質の画像の得られる小型のレンズ鏡胴を得ること。【解決手段】光軸方向に移動可能となされた移動レンズ群と、該移動レンズ群より物体側に配置された固定の第１の開口部と、移動レンズ群より像面側に配置された第２の開口部と、第１の開口部より像面側に形成された第１の光路規制部と、移動レンズ群を保持する保持枠に一体的に形成された第２の光路規制部と、を少なくとも有し、第１の開口部を通過し第２の開口部へ向かう光束のうち、移動レンズを通過しない光束を、第１の光路規制部と第２の光路規制部により遮蔽するよう構成したレンズ鏡胴とする。【選択図】図３
2009047797.tif 000002
【特許請求の範囲】
【請求項１】
撮像光学系を内包するレンズ鏡胴であって、
光軸方向に移動可能となされた移動レンズ群と、該移動レンズ群より物体側に配置された固定の第１の開口部と、前記移動レンズ群より像面側に配置された第２の開口部と、
前記第１の開口部より像面側に形成された第１の光路規制部と、前記移動レンズ群を保持する保持枠に一体的に形成された第２の光路規制部と、を少なくとも有し、
前記第１の開口部を通過し前記第２の開口部へ向かう光束のうち、前記移動レンズ群を通過しない光束を、前記第１の光路規制部と前記第２の光路規制部により遮蔽するよう構成したことを特徴とするレンズ鏡胴。
【請求項２】
最も物体側に配置された固定レンズ群と、該固定レンズの像面側に配置された第１の開口部と、該第１の開口部の像面側に配置され光軸方向に移動可能となされた移動レンズ群と、該移動レンズ群を保持する保持枠と、前記移動レンズ群の像面側に配置された絞りユニットにより構成された第２の開口部と、を少なくとも有するレンズ鏡胴において、
前記第１の開口部より像面側に形成された第１の光路規制部と、前記移動レンズ群を保持する保持枠に一体的に形成された第２の光路規制部と、を有し、
前記第１の開口部を通過し前記第２の開口部へ向かう光束のうち、前記移動レンズ群を通過しない光束を、前記第１の光路規制部と前記第２の光路規制部により遮蔽するよう構成したことを特徴とするレンズ鏡胴。
【請求項３】
前記第１の光路規制部は前記撮影光学系の最も外側の撮影光束位置よりも外側に形成され、前記第２の光路規制部は前記第１の光路規制部より像面側に位置することを特徴とする請求項１又は２に記載のレンズ鏡胴。
【請求項４】
前記第２の光路規制部の外形の一部は、前記第１の開口部の内径より小さいことを特徴とする請求項１〜３のいずれか１項に記載のレンズ鏡胴。
【請求項５】
前記第１の光路規制部及び前記第２の光路規制部は、光軸周りの一部に形成されていることを特徴とする請求項１〜４のいずれか１項に記載のレンズ鏡胴。
【発明の詳細な説明】
【技術分野】
【０００１】
本発明はビデオカメラ、スチルカメラ等の撮像装置に用いられるレンズ鏡胴に関するものである。
【背景技術】
【０００２】
従来より、ビデオカメラ、スチルカメラ等の電子カメラの小型化の要望は強く、このためカメラを構成するための主要ユニットの小型化が求められている。
【０００３】
例えば、ビデオカメラに内蔵されるズームレンズ鏡胴において、物体側に配置された移動レンズ群の駆動用モータのモータ本体を像面側に配置し、像面側に配置された移動レンズ群の駆動用モータのモータ本体を物体側に配置したものが知られている（例えば、特許文献１参照）。
【特許文献１】特開２００６−６４８３８号公報
【発明の開示】
【発明が解決しようとする課題】
【０００４】
しかしながら、上記特許文献１に記載されたレンズ鏡胴にすると、物体側に配置された移動レンズ群の移動領域に、像面側の移動レンズ群の駆動用モータのモータ本体が配置され、像面側に配置された移動レンズ群の移動領域に、物体側の移動レンズ群の駆動用モータのモータ本体が配置されるようになる。
【０００５】
このような場合、従来のものでは、モータ本体を光軸に接近させて配置することができず、鏡胴径が大型化する問題がある。以下、この問題について図１、図２を用いて説明する。
【０００６】
図１は、従来の変倍可能な撮像光学系を内包するレンズ鏡胴の概要を示す断面図である。同図（ａ）は広角（ワイド）端の状態を示し、同図（ｂ）は望遠（テレ）端の状態を示している。
【０００７】
同図に示すレンズ鏡胴は、固定の第１レンズ群１１、光軸方向に移動可能となされた第２レンズ群１２、固定の第３レンズ群１３、光軸方向に移動可能となされた第４レンズ群で構成されたズームレンズである撮影光学系を内包している。
【０００８】
第１レンズ群１１は、第１レンズ１、第２レンズ２、第３レンズ３で構成され、主胴１５に固定された固定レンズ群である。第２レンズ群１２は、第４レンズ４、第５レンズ５、第６レンズ６で構成され、移動可能な保持枠である第２レンズ群鏡枠２２に保持されている。第３レンズ群１３は、第７レンズ７、第８レンズ８、第９レンズ９で構成され、第３レンズ群鏡枠２３に保持され、主胴１５に固定されている。第４レンズ群１４は、本例では単玉の第１０レンズ１０で構成され、移動可能な第４レンズ群鏡枠２４に保持されている。
【０００９】
第２レンズ群鏡枠２２と第４レンズ群鏡枠２４は、不図示のガイド軸により案内され光軸方向に移動可能となっている。
【００１０】
第２レンズ群鏡枠２２は、不図示のステッピングモータ及びリードスクリューにより光軸方向に移動させられるようになっている。
【００１１】
第４レンズ群鏡枠２４は、ステッピングモータ４１により回転させられるリードスクリュー４２と不図示の係合部を有し、光軸方向に移動させられるようになっている。なお、３１は絞りユニットであり、主胴１５に固定されている。
【００１２】
同図に示すように、第４レンズ群１４を移動させるためのステッピングモータ４１は、第２レンズ群１２の移動領域と光軸Ｏ方向で重複して配置されることになる。
【００１３】
移動レンズ群である第２レンズ群１２を保持する保持枠である第２レンズ群鏡枠２２には、撮影光束以外の光を遮蔽するための鍔状の鍔部２２ｔが一体に形成されている。また、第２レンズ群１２の物体側で、第１レンズ群１１の像面側には開口部（第１の開口部と称す）１５ｋが形成されている。また、第２レンズ群１２より像面側に配置された絞りユニット３１の絞りで形成される開口部（第２の開口部と称す）３１ｋを有している。
【００１４】
同図（ａ）に示すように、第２レンズ群鏡枠２２に形成された鍔部２２ｔは、特に第１の開口部１５ｋと第２の開口部３１ｋの境界を繋ぐ図示Ａで示す領域範囲の不要光を遮蔽するものであり、鍔部２２ｔの外径は第１の開口部１５ｋの内径より大きく形成されている。これにより第２レンズ群１２を通過する光束以外の光束が以降のレンズ群に直接的に入射することを防止している。
【００１５】
図２は、図１に示す従来のレンズ鏡胴においてモータ本体を光軸Ｏ方向に寄せ、レンズ鏡胴を細くした場合の断面図である。同図は広角（ワイド）端の状態を示している。
【００１６】
同図に示すように、ステッピングモータ４１を光軸Ｏ側に寄せて配置した場合、第２レンズ群鏡枠２２の鍔部２２ｔは、移動領域で主胴１５との干渉を避けるため、ステッピングモータ４１近傍で、図示の如く、鍔部２２ｔを充分に大きく形成できない。
【００１７】
この場合、第１の開口部１５ｋと第２の開口部３１ｋを繋ぐ図示Ａで示す領域範囲の不要光のうち、斜線で示す領域の光束を遮蔽することができなくなり、撮影画像に悪影響を与え画質の低下を招くことになる。即ち、単純に鏡胴外径を細くするだけでは、画質の低下を招き、実用には供せないということである。
【００１８】
本発明は上記問題に鑑み、鏡胴外径を細くしても不要光を遮蔽でき、高画質の画像の得られる小型のレンズ鏡胴を得ることを目的とするものである。
【課題を解決するための手段】
【００１９】
上記の目的は、下記に記載する発明により達成される。
【００２０】
１．撮像光学系を内包するレンズ鏡胴であって、光軸方向に移動可能となされた移動レンズ群と、該移動レンズ群より物体側に配置された固定の第１の開口部と、前記移動レンズ群より像面側に配置された第２の開口部と、前記第１の開口部より像面側に形成された第１の光路規制部と、前記移動レンズ群を保持する保持枠に一体的に形成された第２の光路規制部と、を少なくとも有し、前記第１の開口部を通過し前記第２の開口部へ向かう光束のうち、前記移動レンズ群を通過しない光束を、前記第１の光路規制部と前記第２の光路規制部により遮蔽するよう構成したことを特徴とするレンズ鏡胴。
【００２１】
２．最も物体側に配置された固定レンズ群と、該固定レンズの像面側に配置された第１の開口部と、該第１の開口部の像面側に配置され光軸方向に移動可能となされた移動レンズ群と、該移動レンズ群を保持する保持枠と、前記移動レンズ群の像面側に配置された絞りユニットにより構成された第２の開口部と、を少なくとも有するレンズ鏡胴において、前記第１の開口部より像面側に形成された第１の光路規制部と、前記移動レンズ群を保持する保持枠に一体的に形成された第２の光路規制部と、を有し、前記第１の開口部を通過し前記第２の開口部へ向かう光束のうち、前記移動レンズ群を通過しない光束を、前記第１の光路規制部と前記第２の光路規制部により遮蔽するよう構成したことを特徴とするレンズ鏡胴。
【００２２】
３．前記第１の光路規制部は前記撮影光学系の最も外側の撮影光束位置よりも外側に形成され、前記第２の光路規制部は前記第１の光路規制部より像面側に位置することを特徴とする１又は２に記載のレンズ鏡胴。
【００２３】
４．前記第２の光路規制部の外形の一部は、前記第１の開口部の内径より小さいことを特徴とする１〜３のいずれかに記載のレンズ鏡胴。
【００２４】
５．前記第１の光路規制部及び前記第２の光路規制部は、光軸周りの一部に形成されていることを特徴とする１〜４のいずれかに記載のレンズ鏡胴。
【発明の効果】
【００２５】
本発明によれば、鏡胴外径を細くしても不要光を遮蔽でき、高画質の画像の得られる小型のレンズ鏡胴を得ることが可能となる。
【発明を実施するための最良の形態】
【００２６】
以下、実施の形態により本発明を詳しく説明するが、本発明はこれに限定されるものではない。
【００２７】
図３は、本実施の形態に係る変倍可能な撮像光学系を内包するレンズ鏡胴１００の概要を示す断面図である。図３（ａ）は広角（ワイド）端の状態を示し、図３（ｂ）は望遠（テレ）端の状態を示している。
【００２８】
図３に示すレンズ鏡胴１００は、固定の第１レンズ群１１、光軸方向に移動可能となされた第２レンズ群１２、固定の第３レンズ群１３、光軸方向に移動可能となされた第４レンズ群で構成されたズームレンズである撮影光学系を内包している。
【００２９】
第１レンズ群１１は、第１レンズ１、第２レンズ２、第３レンズ３で構成され、主胴１５に固定された固定レンズ群である。第２レンズ群１２は、第４レンズ４、第５レンズ５、第６レンズ６で構成され、移動可能な保持枠である第２レンズ群鏡枠２２に保持されている。第３レンズ群１３は、第７レンズ７、第８レンズ８、第９レンズ９で構成され、第３レンズ群鏡枠２３に保持され、主胴１５に固定されている。第４レンズ群１４は、本例では単玉の第１０レンズ１０で構成され、移動可能な第４レンズ群鏡枠２４に保持されている。
【００３０】
第２レンズ群鏡枠２２と第４レンズ群鏡枠２４は、不図示のガイド軸により案内され光軸方向に移動可能となっている。
【００３１】
第２レンズ群鏡枠２２は、不図示のステッピングモータにより回転させられるリードスクリューと係合部を有し、光軸方向に移動させられる。
【００３２】
第４レンズ群鏡枠２４は、ステッピングモータ４１により回転させられるリードスクリュー４２と不図示の係合部を有し、光軸方向に移動させられる。なお、３１は絞りユニットであり、主胴１５に固定されている。
【００３３】
また、第２レンズ群１２の物体側であって、第１レンズ群１１の像面側には開口部（第１の開口部と称す）１５ｋが形成されている。また、第２レンズ群１２より像面側に配置された絞りユニット３１の絞りで形成される開口部（第２の開口部と称す）３１ｋを有している。
【００３４】
本実施の形態に係るレンズ鏡胴１００においては、第４レンズ群１４を移動させるためのステッピングモータ４１は、第２レンズ群１２の移動領域と光軸Ｏ方向で一部重複する位置に配置されている。更に、ステッピングモータ４１は、レンズ鏡胴全体を細く形成するため、図２に示したレンズ鏡胴と同様に光軸Ｏ方向に接近して配置されている。
【００３５】
図３に示した本実施の形態に係るレンズ鏡胴１００は、以下の点で図２に示したレンズ鏡胴と異なっている。
【００３６】
図３（ａ）、（ｂ）に示すように主胴１５には、第１の開口部１５ｋより像面側に形成された第１の光路規制部５１が光軸Ｏに向けて略衝立状に形成されている。この第１の光路規制部５１は、図３（ｂ）に示すように、撮影光束を遮蔽しないよう、撮像光学系の変倍領域における最も外側の撮影光束の高さもしくは、最も外側の撮影光束に若干の隙間を有して形成されている。
【００３７】
更に、移動レンズ群である第２レンズ群１２を保持する保持枠である第２レンズ群鏡枠２２の、ステッピングモータ４１に対応する位置には鍔部２２ｔとは光軸方向で異なる位置に一体的に形成された第２の光路規制部５２が形成されている。また、第２の光路規制部５２は第１の光路規制部５１より像面側に位置するように形成されている。
【００３８】
図４は、保持部材である第２レンズ群鏡枠２２の概略形状を示す斜視図である。
【００３９】
図４に示す、１７、１８は第２レンズ群鏡枠２２を光軸Ｏ方向に案内するガイド軸であり、１９は不図示のリードスクリューと係合する係合部である。
【００４０】
第２レンズ群鏡枠２２には、図示の如く、光軸Ｏに対し半径方向に長い鍔部２２ｔと、この鍔部２２ｔと光軸方向像面側にずれた位置に、鍔部２２ｔより半径方向で短い第２の光路規制部５２が形成されている。
【００４１】
図３に戻り、第１の光路規制部５１と第２の光路規制部５２は、広角端時及びその近傍の焦点距離時には図３（ａ）に示すように重なり合い、第１の開口部１５ｋを通過し第２の開口部３１ｋへ向かう光束のうち、移動レンズである第２レンズ群１２を通過しない光束を、遮蔽するよう構成されている。
【００４２】
図５は、本実施の形態に係るレンズ鏡胴１００の図３（ａ）に示した広角端の状態での第１の光路規制部５１と第２の光路規制部５２周辺を拡大した断面図である。
【００４３】
図５に示すように、第１の開口部１５ｋと第２の開口部３１ｋを繋ぐ図示Ａで示す領域範囲の不要光のうち、図示Ａ１で示す領域範囲を第１の光路規制部５１で遮蔽し、図示Ａ２で示す領域範囲の不要光を第２の光路規制部５２で遮蔽することができるようになる。即ち、第１の開口部１５ｋを通過し第２の開口部３１ｋへ向かう光束のうちの、第２レンズ群１２を通過しない不要な光束を、第１の光路規制部５１と第２の光路規制部５２の双方を用いて遮蔽するということである。
【００４４】
このように構成することにより、主胴１５を細く形成し、第２の光路規制部の外形を、第１の開口部の内径より小さく形成しても不要光を遮蔽できるようになり、高画質の画像の得られる小型のレンズ鏡胴を得ることが可能となる。
【００４５】
図６は、本実施の形態に係るレンズ鏡胴１００の他の例を示す断面図である。図６に示すレンズ鏡胴１００は、図３に示したレンズ鏡胴と異なる部分についてのみ説明する。
【００４６】
図６に示すレンズ鏡胴１００は、主胴１５に、第１の開口部１５ｋより像面側に形成された第１の光路規制部５１を光軸Ｏの全周に形成したものである。この第１の光路規制部５１は、図３（ｂ）と同様に、撮影光束と干渉しないよう、撮像光学系の変倍領域における最も外側の撮影光束の高さもしくは、最も外側の撮影光束に若干の隙間を有して形成されている。
【００４７】
更に、移動レンズ群である第２レンズ群１２を保持する保持枠である第２レンズ群鏡枠２２の外周の全周に第２の光路規制部５２が一体的に形成されている。また、第２の光路規制部５２は第１の光路規制部５１より像面側に位置するように形成されている。
【００４８】
このような構成でも、主胴１５を細く形成しても不要光を遮蔽できるようになり、高画質の画像の得られる小型のレンズ鏡胴を得ることが可能となる。
【００４９】
なお、上記の実施の形態では、４群ズームの撮像光学系を内包するレンズ鏡胴を例にとり説明したが、これに限るものでなく、移動するレンズ群を挟んで固定の開口部を有する場合の不要光の遮蔽に適用可能であるのは言うまでもない。また、第２の光路規制部は、第２レンズ群鏡枠に一体に形成された例で説明したが、これに限るものでなく、別部品で形成し第２レンズ群鏡枠に一体的に組み付けられていてもよいのは勿論である。
【図面の簡単な説明】
【００５０】
【図１】従来の変倍可能な撮像光学系を内包するレンズ鏡胴の概要を示す断面図である。
【図２】図１に示す従来のレンズ鏡胴においてモータ本体を光軸Ｏ方向に寄せ、レンズ鏡胴を細くした場合の断面図である。
【図３】本実施の形態に係る変倍可能な撮像光学系を内包するレンズ鏡胴の概要を示す断面図である。
【図４】保持部材である第２レンズ群鏡枠の概略形状を示す斜視図である。
【図５】本実施の形態に係るレンズ鏡胴の図３（ａ）に示した広角端の状態での第１の光路規制部と第２の光路規制部周辺を拡大した断面図である。
【図６】本実施の形態に係るレンズ鏡胴の他の例を示す断面図である。
【符号の説明】
【００５１】
１１  第１レンズ群
１２  第２レンズ群
１３  第３レンズ群
１４  第４レンズ群
１５  主胴
１５ｋ  第１の開口部
２２  第２レンズ群鏡枠
２３  第３レンズ群鏡枠
２４  第４レンズ群鏡枠
３１  絞りユニット
３１ｋ  第２の開口部
４１  ステッピングモータ
４２  リードスクリュー
５１  第１の光路規制部
５２  第２の光路規制部
【図１】
2009047797.tif 000003
【図２】
2009047797.tif 000004
【図３】
2009047797.tif 000005
【図４】
2009047797.tif 000006
【図５】
2009047797.tif 000007
【図６】
2009047797.tif 000008